(57)【特許請求の範囲】
【請求項１】
Ｘ線遮蔽素材を用いたＸ線防護衣において、Ｘ線遮蔽素材によって構成される遮蔽部の表面又は裏面の少なくとも片面を、メッシュ状補強体と透明合成樹脂とが一体化された１枚のシートからなる透明な可撓性保護シートで前記Ｘ線防護衣の最外面となるように被覆し、前記透明な可撓性保護シートを通して前記Ｘ線遮蔽素材を視認することができるようにした、ことを特徴とするＸ線防護衣。
【発明の詳細な説明】
【０００１】
【発明の属する技術分野】
本発明は、Ｘ線遮蔽素材を用いた医療用Ｘ線防護衣に関する。
【０００２】
【従来の技術】
従来、Ｘ線診療従事者等は、Ｘ線被曝による悪影響を避けるため、高いＸ線遮蔽能力を有するＸ線遮蔽素材を用いて作られたＸ線防護衣を着用して作業に従事している。Ｘ線遮蔽素材としては、ゴム又は塩化ビニル樹脂等の合成樹脂に鉛又は鉛化合物を均一に混和してシート化したものが広く使用されている。
【０００３】
上記のＸ線遮蔽シートを用いた医療用Ｘ線防護衣の構造は大別して２種類ある。一つは、Ｘ線遮蔽シートに直接カラーコーティングを施し、そのカラー面を外側に向け２枚以上のシートを合わせた構造である。もう一方は、複数枚のＸ線遮蔽シートの外層を、遮蔽を目的とはしない塩化ビニル樹脂等の有色保護シートで覆うものである。前者はＸ線遮蔽シートが露出するのに対し、後者は、保護シートで覆われているので、汚れにくく、耐久性も優れている。このため、後者の構造によるＸ線防護衣が広く使用されている。しかし、Ｘ線遮蔽シートが有色保護シートで覆われているため、内部に位置するＸ線遮蔽シートを視認することはできない。Ｘ線遮蔽シートの状況、とりわけ経年的な使用による破損や脱落等の異常を目視により把握することは困難である。
【０００４】
【発明が解決しようとする課題】
本発明は、上記従来技術を考慮してなされたもので、保護シートの内部にあるＸ線遮蔽素材の状態を簡単に把握することができるようにし、もって安全性に優れたＸ線防護衣を提供すること、さらには優れた耐久性、意匠性を有するＸ線防護衣を提供することを目的とする。
【０００５】
【課題を解決するための手段】
上記課題を解決するため、本発明は、Ｘ線遮蔽素材を用いたＸ線防護衣において、Ｘ線遮蔽素材によって構成される遮蔽部の表面又は裏面の少なくとも片面を、メッシュ状補強体と透明合成樹脂とが一体化された１枚のシートからなる透明な可撓性保護シートで前記Ｘ線防護衣の最外面となるように被覆し、前記透明な可撓性保護シートを通して前記Ｘ線遮蔽素材を視認することができるようにした、ことを特徴とする。
【０００６】
【発明の実施の形態】
以下、本発明の実施の形態について、本発明をエプロンタイプの医療用Ｘ線防護衣に適用した例を挙げ、図面を参照して説明する。図１（ａ）はＸ線防護衣の正面図、（ｂ）は背面図、図２は図１の２Ａ−２Ａ断面を模式的に示す図である。
【０００７】
Ｘ線防護衣１は、正面部２と背面部３とアームホール部４，４とを有している。正面部２は、肩部から胸部、腹部、大腿部等の身体の前面ないし側面を覆う。背面部３は、分離した左背面部３ａと右背面部３ｂとからなり、肩部及び肩胛骨部を覆うとともに、背中で重ね合わされて交叉し、帯状部５，５を形成して反対側の腰部に向けて斜めに伸びている。帯状部５，５の各端部５ａ，５ｂは、骨盤付近で、正面部２に面ファスナー等の固定手段によって固定されるようになっている。
【０００８】
正面部２は、Ｘ線遮蔽能力が強く要求される部位である。図示のＸ線防護衣１では正面部２にＸ線遮蔽素材を用いている。図２に、正面部２の断面構造を示す。図示の例では、遮蔽部２０は、２枚のＸ線遮蔽素材２１，２２によって構成されている。遮蔽部２０は、１枚あるいは３枚以上のＸ線遮蔽素材で構成してもよい。Ｘ線遮蔽素材２１，２２としては、公知の、ゴム又は塩化ビニル樹脂等の合成樹脂に鉛又は鉛化合物を均一に混和してシート化したもの、その他のＸ線遮蔽能力を有する素材（例えば、Ｘ線遮蔽能力を有する糸によって作られた織編物等）が用いられる。
【０００９】
Ｘ線遮蔽素材２１，２２によって構成した遮蔽部２０の表面（外側）及び裏面（内側）は、透明な可撓性保護シート３０で被覆されている。透明とは、材質の向こう側が透けて見える状態をいう。透過率はある程度低くてもかまわない。動作が妨げられることのないよう可撓性を有する。透明な可撓性保護シート３０の厚さは特に限定されるものではないが、通常、０．１〜１．０ｍｍ程度である。遮蔽部２０の表面及び裏面を透明な可撓性保護シート３０で被覆することにより、遮蔽部２０の内外面両側（２枚のＸ線遮蔽素材２１，２２）の状態を目視により観察することができる。もっとも、遮蔽部２０の表面又は裏面を透明な可撓性保護シート３０で被覆するようにしてもよい。
【００１０】
透明な可撓性保護シート３０は、メッシュ状補強体３１を備えた合成樹脂シート３０からなっている。メッシュ状補強体３１と透明合成樹脂部３２とが一体化されて１枚のシートとなるように成形されたものが好ましい。図示のものは、メッシュ状補強体３１が透明合成樹脂部３２，３２の中間部に挟まれた状態に位置するように層状に形成された例を示している。メッシュ状補強体３１が透明合成樹脂部３２と一体化されたもの、例えば、外層に透明合成樹脂部３２、内層にメッシュ状補強体３１といった２層状となるように両者が一体化されたもの等でもよい。
【００１１】
メッシュ状補強体３１としては、例えば、可撓性を有する合成樹脂製の成形体や織編物等が用いられる。メッシュ（孔）の大きさ、形状は、透明性を阻害しない程度のものであればよい。材質は、透明合成樹脂部３２との親和性の良好なものが好ましい。透明合成樹脂部３２としては、塩化ビニル樹脂、ポリウレタンその他の柔軟な合成樹脂材が好ましく用いられる。メッシュ状補強体３１は、有彩色又は無彩色に着色されたものとすることができる。着色を施すことにより、単なる透明と異なり、意匠性に富む美観を備えたものとなる。透明な可撓性保護シート３０は、例えば、抗菌性・防炎性・帯電防止性・帯電性・耐油性・耐候性といった機能性を有するものとして構成してもよい。
【００１２】
Ｘ線遮蔽素材２１の表面は、必ずしも着色を施す必要はないが、図示のとおり、Ｘ線遮蔽素材２１の外側表面に有彩着色層２５を形成してもよい。有彩着色層２５は、単色又は複数色のコーティングあるいは模様等の印刷等によって形成することができる。有彩着色層２５は全面的であっても部分的であってもよい。Ｘ線遮蔽素材２１は、可撓性保護シート３０を通して視認されるので、Ｘ線遮蔽素材２１の少なくとも外側表面が有彩着色されていると、優れた美観を呈するものとすることができる。また、着色されたメッシュ状補強体３１とのコンビネーションによってさらに優れた美観を呈するものとなる。Ｘ線遮蔽素材２１の外側表面には、Ｘ線防護衣１の含有鉛当量及び衣料サイズの識別表示、その他の情報を表示するようにしてもよい。
【００１３】
符号４０は、Ｘ線防護衣１の縁部を保護するために設けられた縁取りテープであり、通常、縫合糸４５を用いてミシン加工により縫い付けられ、これにより、遮蔽部２０と可撓性保護シート３０とが互いに固定される。Ｘ線防護衣１（正面部等）の最内面には、裏地メッシュその他の裏地素材を設けてもよい。透明な可撓性保護シート３０をＸ線遮蔽素材２１，２２に対し、縁部等で部分的に接着（溶着等）したり、あるいは全体的にラミネートするようにしてもよい。
【００１４】
背面部３は、上記したような正面部２と同様の構成にしてもよいし、あるいは遮蔽能力が必要でなければ、通気性を有するメッシュ状に形成してもよく、その構成は特に限定されるものではない。
【００１５】
なお、Ｘ線防護衣としては、上記したエプロンタイプの他、背面にも遮蔽部を形成したコート、丈の短いハーフコート、スカート、マント、ネックガード、帽子、手袋、手甲、ベルト等がある。
【００１６】
以上、本発明の実施の形態について説明したが、本発明は上記の形態に限定されるものではなく、本発明の要旨の範囲で適宜変更、付加等して実施することができるものである。
【００１７】
【発明の効果】
本発明に係るＸ線防護衣によれば、透明な可撓性保護シートを通して、内部にあるＸ線遮蔽素材を視認することができる。Ｘ線遮蔽素材の状況、とりわけ経年的な使用による破損や脱落等の異常を目視により簡単に把握することができるため、きわめて安全性に優れている。機器を使用する透視検査によらずとも、破損や脱落等の異常を早期発見することが可能となり、その効果はきわめて大きい。
【００１８】
また、透明な可撓性保護シートを、メッシュ状補強体と透明合成樹脂とが一体化された１枚のシートからなるものとすることにより、強度が高く、優れた耐久性を有するＸ線防護衣が提供される。
【００１９】
なお、メッシュ状補強体を着色されたものとすることにより、無味乾燥な透明のものと異なり、意匠性に富む美観を備えたＸ線防護用品が提供される。
【００２０】
Ｘ線遮蔽素材の外側表面を、有彩着色されたものとすることにより、可撓性保護シートを通して有彩着色が視認され、優れた美観を呈するものとなる。また、着色されたメッシュ状補強体とのコンビネーションによってさらに優れた美観を呈するものとなる。
【００２１】
本発明は、医療用のＸ線防護衣として有益である。
【図面の簡単な説明】
【図１】  （ａ）はＸ線防護衣の正面図、（ｂ）は背面図である。
【図２】  図１の２Ａ−２Ａ断面を模式的に示す図である。
【符号の説明】
１  Ｘ線防護衣
２  正面部
３  背面部
２０  遮蔽部
２１，２２  Ｘ線遮蔽素材
２５  有彩着色層
３０  可撓性保護シート（合成樹脂シート）
３１  メッシュ状補強体
３２  透明合成樹脂部
【図１】
0004653907.tif 000002
【図２】
0004653907.tif 000003